(57)【要約】【課題】大型化を伴うことなくオイルダンパーを用いて使い勝手の向上を図る。【解決手段】ケース体３に配置された支持シャーシ２０に対して回動可能とされると共に蓋体４の開閉動作に伴って回動される回動体４１と、蓋体が開放する方向へ回動体を付勢する付勢手段４０と、粘性流体３０が封入されたケーシング２８と一部がケーシングから外部へ突出されケーシングに対して回転される回転軸２９とを有すると共に回動体の回動速度を制御するオイルダンパー２７とを設け、ケーシングの一部を支持シャーシに係合して該支持シャーシにオイルダンパーを保持すると共に回転軸のケーシングから突出された部分である突出部３４を回動体に連結した。【選択図】　　　　　図４
2004079939.tif 000002
【特許請求の範囲】
【請求項１】
一方に開口された箱状に形成されベース部と該ベース部の周縁から突出された周面部とを有し該周面部に沿って支持シャーシが配置されたケース体に対して所定の方向へ移動されてケース体を開閉する蓋体の開閉装置であって、
支持シャーシに対して回動可能とされると共に蓋体の開閉動作に伴って回動される回動体と、
蓋体が開放する方向へ回動体を付勢する付勢手段と、
粘性流体が封入されたケーシングと一部がケーシングから外部へ突出されケーシングに対して回転される回転軸とを有すると共に回動体の回動速度を制御するオイルダンパーとを備え、
オイルダンパーはケーシングの一部が支持シャーシに係合されて該支持シャーシに保持されると共に回転軸のケーシングから突出された部分である突出部が回動体に連結された
ことを特徴とする開閉装置。
【請求項２】
上記回動体を、
蓋体に取り付けられると共に一端部が支持シャーシに回動自在に支持された支持板と、
一端部がオイルダンパーの突出部に連結されると共に他端部が支持板に支持されてオイルダンパーの回転軸と一体となって回動されるアーム板とによって構成した
ことを特徴とする請求項１に記載の開閉装置。
【請求項３】
オイルダンパーの回転軸の突出部に回転軸の回転方向における回動体に対する回転を規制する回転規制部を設け、
回動体に回転軸の突出部が嵌合される嵌合穴を形成した
ことを特徴とする請求項１に記載の開閉装置。
【請求項４】
オイルダンパーのケーシングの一端部に回転軸の回転方向における支持シャーシに対する回転を規制する回り止め部を設け、
支持シャーシにケーシングの回り止め部が係合される係合部とケーシングの他端部を押さえる押さえ部とを設けた
ことを特徴とする請求項１に記載の開閉装置。
【請求項５】
上記付勢手段をオイルダンパーのケーシングの内部に配置し、
付勢手段によって回転軸を回転方向における一方向へ付勢し、回転軸を介して回動体を付勢した
ことを特徴とする請求項１に記載の開閉装置。
【請求項６】
一方に開口された箱状に形成されベース部と該ベース部の周縁から突出された周面部とを有するケース体と、該ケース体に対して所定の方向へ移動されてケース体を開閉する蓋体と、ケース体内に配置され記録媒体が装着される装着部と、該装着部に装着された記録媒体に対して情報信号の記録及び／又は再生を行う記録再生部を支持すると共にケース体のベース部に対向して配置されたメカシャーシと、ケース体の周面部の内面に沿って配置された支持シャーシと、蓋体を開閉するための開閉装置とを備えた携帯用記録及び／又は再生装置であって、
支持シャーシに対して回動可能とされると共に蓋体の開閉動作に伴って回動される回動体と、
蓋体が開放する方向へ回動体を付勢する付勢手段と、
粘性流体が封入されたケーシングと一部がケーシングから外部へ突出されケーシングに対して回転される回転軸とを有すると共に回動体の回動速度を制御するオイルダンパーとを備え、
オイルダンパーはケーシングの一部が支持シャーシに係合されて該支持シャーシに保持されると共に回転軸のケーシングから突出された部分である突出部が回動体に連結された
ことを特徴とする携帯用記録及び／又は再生装置。
【請求項７】
上記回動体を、
蓋体に取り付けられると共に一端部が支持シャーシに回動自在に支持された支持板と、
一端部がオイルダンパーの突出部に連結されると共に他端部が支持板に支持されてオイルダンパーの回転軸と一体となって回動されるアーム板とによって構成した
ことを特徴とする請求項６に記載の携帯用記録及び／又は再生装置。
【請求項８】
オイルダンパーの回転軸の突出部に回転軸の回転方向における回動体に対する回転を規制する回転規制部を設け、
回動体に回転軸の突出部が嵌合される嵌合穴を形成した
ことを特徴とする請求項６に記載の携帯用記録及び／又は再生装置。
【請求項９】
オイルダンパーのケーシングの一端部に回転軸の回転方向における支持シャーシに対する回転を規制する回り止め部を設け、
支持シャーシにケーシングの回り止め部が係合される係合部とケーシングの他端部を押さえる押さえ部とを設けた
ことを特徴とする請求項６に記載の携帯用記録及び／又は再生装置。
【請求項１０】
上記付勢手段をオイルダンパーのケーシングの内部に配置し、
付勢手段によって回転軸を回転方向における一方向へ付勢し、回転軸を介して回動体を付勢した
ことを特徴とする請求項６に記載の携帯用記録及び／又は再生装置。
【請求項１１】
ケース体内のベース部とメカシャーシとの間に回路基板を配置し、
該回路基板にオイルダンパーを配置する配置用切欠を形成した
ことを特徴とする請求項６に記載の携帯用記録及び／又は再生装置。
【発明の詳細な説明】
【０００１】
【発明の属する技術分野】
本発明は開閉装置及び携帯用記録及び／又は再生装置に関する。詳しくは、大型化を伴うことなく使い勝手の向上を図る技術分野に関する。
【０００２】
【従来の技術】
記録媒体、例えば、ディスク状記録媒体に対して情報信号の記録及び／又は再生を行う記録及び／又は再生装置があり、このような記録及び／又は再生装置には、例えば、ケース体と蓋体とによって構成された外筐内に、メカシャーシ、ディスクテーブル、光ピックアップ等の各種の構成要素が配置されているものがある。
【０００３】
記録及び／又は再生装置にあっては、例えば、閉塞時には、蓋体はロック機構によってケース体を閉塞する閉塞位置にロックされており、蓋体を開放するときにはロック解除摘子を操作してロックを解除し、外筐内に配置された付勢手段の付勢力によって蓋体が回動されて開放され、ストッパーによって蓋体が開放位置に保持される。蓋体が開放されると、蓋体とケース体との間にディスク挿入口が形成され、ディスク状記録媒体等の記録媒体がディスク挿入口から挿入されてディスクテーブルに装着される。
【０００４】
ところで、上記のように、付勢手段を用いて蓋体の開放を行う装置にあっては、蓋体に対するロックが解除された瞬間に付勢手段の付勢力によって蓋体が勢いよく回動されてしまう。従って、蓋体を開放位置に規制するためのストッパーや蓋体とケース体との連結部分等に大きな衝撃が付与され、各部に大きなストレスがかかってしまう。
【０００５】
また、蓋体が勢いよく回動されるため、使用者にとっては使い勝手が悪く、高級感を損なうものとなってしまう。
【０００６】
そこで、衝撃の低下及び使い勝手の向上等を目的として、蓋体の回動速度を制御するオイルダンパー等を用いた装置があるが、従来の記録及び／又は再生装置では、例えば、蓋体の内面に支持された第１ギヤとオイルダンパーの回転軸に取り付けられた第２ギヤとを噛合し、蓋体が開放されて第１ギヤが回転されたときの第２ギヤの回転に伴うオイルダンパーの回転軸の回転により、蓋体の回動速度の制御を行うようにしている。
【０００７】
【発明が解決しようとする課題】
ところが、従来の記録及び／又は再生装置のように２つのギヤを噛合させて蓋体の回動速度の制御を行うようにした場合には、２つのギヤを配置するためのスペースが必要となり、装置が大型になってしまうという問題がある。
【０００８】
従って、据置型の装置のような比較的大型の記録及び／又は再生装置には、オイルダンパーを設けて蓋体の回動速度の制御を行うようにしているものもあるが、携帯用の装置のように、特に、小型化を必要とする記録及び／又は再生装置にはオイルダンパーを用い難いという現状がある。
【０００９】
また、上記のように２つのギヤを必要とする構成においては、その分、部品点数も多く、製造コストの高騰を来たすという問題もある。
【００１０】
そこで、本発明開閉装置及び携帯用記録及び／又は再生装置は、大型化を伴うことなくオイルダンパーを用いて使い勝手の向上を図ることを課題とする。
【００１１】
【課題を解決するための手段】
本発明開閉装置及び携帯用記録及び／又は再生装置は、上記した課題を解決するために、ケース体に配置された支持シャーシに対して回動可能とされると共に蓋体の開閉動作に伴って回動される回動体と、蓋体が開放する方向へ回動体を付勢する付勢手段と、粘性流体が封入されたケーシングと一部がケーシングから外部へ突出されケーシングに対して回転される回転軸とを有すると共に回動体の回動速度を制御するオイルダンパーとを設け、ケーシングの一部を支持シャーシに係合して該支持シャーシにオイルダンパーを保持すると共に回転軸のケーシングから突出された部分である突出部を回動体に連結したものである。
【００１２】
従って、本発明開閉装置及び携帯用記録及び／又は再生装置にあっては、オイルダンパーの制動力が回動体に直接作用する。
【００１３】
【発明の実施の形態】
以下に、本発明の実施の形態を添付図面を参照して説明する。尚、以下に示した実施の形態は、直径が略６４ｍｍのディスク状記録媒体（光磁気ディスク）に対する記録及び再生を行うことができる携帯用のディスク記録及び／又は再生装置に適用したものである。
【００１４】
先ず、第１の実施の形態について説明する（図１乃至図９参照）。
【００１５】
携帯用記録及び／又は再生装置１は、扁平な外筐２内に所要の各部材及び各機構が配置されて成り、外筐２は上面が開放された薄い箱状をしたケース体３と該ケース体３に後端部を支点として回動自在に支持されケース体３の上面を開閉する蓋体４とから成る（図１参照）。
【００１６】
ケース体３はベース部５と該ベース部５の周縁から立設された周面部６とから成り、該周面部６は前面部６ａ、後面部６ｂ、左側面部６ｃ及び右側面部６ｄによって構成されている（図２及び図３参照）。
【００１７】
ケース体３の前面部６ａの前面には、左右方向へスライド操作されるオープン摘子７が設けられている（図１乃至図３参照）。ケース体３の前面部６ａの内面側にはロック部材８が配置されている。ロック部材８はオープン摘子７の左右方向へのスライド操作に伴って左右方向へ移動される。
【００１８】
蓋体４の前端部の内面には被ロック部材９が取り付けられている（図１参照）。蓋体４が開放された状態から蓋体４がケース体３に近づく方向へ回動されると、被ロック部材９にロック部材８が係止されて蓋体４がケース体３を閉塞する閉塞位置にロックされる。蓋体４が閉塞位置にロックされた状態においてオープン摘子７がスライド操作されると、ロック部材８の被ロック部材９に対する係止状態が解除され、蓋体４が後述する付勢手段の付勢力によってケース体３を開放する開放位置へ向けて回動され、図示しないストッパーによって開放位置に保持される。
【００１９】
蓋体４の上面には、複数の操作釦１０、１０、・・・が配置されている（図１参照）。操作釦１０、１０、・・・の操作により、後述するディスク状記録媒体に対する情報信号の再生や記録、音量の変更、情報信号のエンド情報等の検索、各種の編集作業等を行うことができる。蓋体４の上面には、液晶表示部１１が設けられており、該液晶表示部１１に現在の操作状況等の各種の表示が為される。
【００２０】
ケース体３内には、主面がベース部１５と平行を為すメカシャーシ１２が配置されている（図２及び図３参照）。メカシャーシ１２の中央部には図示しないスピンドルモーターが配置され、該スピンドルモーターのモーター軸の上端部にディスクテーブル１３が固定されている（図２及び図３参照）。ディスクテーブル１３は後述するディスク状記録媒体が装着される装着部としての役割を果たす。
【００２１】
メカシャーシ１２には、その右半部に開口部１２ａが形成されている（図２及び図３参照）。メカシャーシ１２には、ディスク状記録媒体に対する情報信号の記録及び／又は再生を行う記録再生部として機能する光ピックアップ１４が、ディスクテーブル１３に装着されるディスク状記録媒体の半径方向に開口部１２ａにおいて移動自在に支持されている。光ピックアップ１４は移動ベース１５に対物レンズ１６ａを有する対物レンズ駆動装置１６が支持されて成り、移動ベース１５の一端部がメカシャーシ１２の下面側に配設されたガイド軸１７に摺動自在に支持され、移動ベース１５の他端部に設けられた図示しないナット部がメカシャーシ１２の下面側に配設されたリードスクリュー１８に螺合されている。従って、ケース体３内に配置された図示しない送りモーターの駆動によってリードスクリュー１８が回転されると、該リードスクリュー１８と螺合されているナット部がリードスクリュー１８の軸方向に送られ、光ピックアップ１４がディスク状記録媒体の半径方向へ移動される。
【００２２】
対物レンズ駆動装置１６の対物レンズ１６ａの上方には、図示しない磁気ヘッドが配置されており、該磁気ヘッドは図示しないヘッド昇降機構によって対物レンズ１６ａに離接する方向へ移動される。磁気ヘッドは光ピックアップ１４と一体となってディスク状記録媒体の半径方向へ移動される。
【００２３】
メカシャーシ１２には、その後端部を支点としてホルダー１９が回動自在に支持されている（図１参照）。ホルダー１９は、天板部１９ａと、該天板部１９ａの両側縁から垂設された側面板部１９ｂ、１９ｂと、該側面板部１９ｂ、１９ｂの下縁から互いに近づく方向へ向けて突出された受け板部１９ｃ、１９ｃとを有している。
【００２４】
ケース体３内には支持シャーシ２０が配置されている（図１乃至図３参照）。支持シャーシ２０は前方に開口された略コ字状に形成され、ケース体３の後面部６ｂに沿って配置された基部２１と右側面部６ｄに沿って配置された右側板部２２と左側面部６ｃに沿って配置された左側板部２３とを有している。
【００２５】
支持シャーシ２０の左側板部２３には、その後端部に支持孔２３ａが形成され、支持孔２３ａの前側に右方へ突出された案内突部２３ｂが設けられている（図４及び図５参照）。左側板部２３の前後方向における略中央部には係合孔２４が形成され、該係合孔２４は前後に位置し上下に延びる規制縁２４ａ、２４ａと該規制縁２４ａ、２４ａ間を結ぶ円弧縁２４ｂ、２４ｂとによって形成されている。
【００２６】
左側板部２３の係合孔２４の直ぐ前側の位置には、保持突部２５が一体に設けられている。保持突部２５は、左側板部２３から右方へ向けて突出された連結部２５ａと、該連結部２５ａの先端部から後方へ突出された押さえ部２５ｂとから成り、該押さえ部２５ｂには保持孔２５ｃが形成されている。
【００２７】
左側板部２３には支持板２６が回動自在に支持されている（図４及び図５参照）。支持板２６は略前後方向に長く形成され、前後両端部にそれぞれ取付螺孔２６ａ、２６ａが形成されている。支持板２６の後端部には、取付螺孔２６ａの下側の位置に左方へ突出された被支持軸部２６ｂが設けられている。
【００２８】
支持板２６には、その後端寄りの位置に緩やかな円弧状を為す被案内孔２６ｃが形成され、前端寄りの位置に略前後に延びるガイド孔２６ｄが形成されている。支持板２６の被案内孔２６ｃの直ぐ前側の位置にはバネ掛け突部２６ｅが設けられている。
【００２９】
支持板２６は、被支持軸部２６ｂが左側板部２３の支持孔２３ａに挿入されることにより左側板部２３に回動自在に支持され、取付螺孔２６ａ、２６ａに図示しない取付ネジが螺合されることにより蓋体４に取り付けられている。従って、支持板２６は、蓋体４の回動動作に伴って回動される。
【００３０】
支持板２６が左側板部２３に支持された状態において、被案内孔２６ｃに左側板部２３の案内突部２３ｂが摺動自在に係合される（図５参照）。
【００３１】
支持シャーシ２０の保持突部２５にはオイルダンパー２７が保持される（図４及び図５参照）。オイルダンパー２７はケーシング２８と回転軸２９とを有し、ケーシング２８に粘性流体３０が封入されている（図６及び図７参照）。オイルダンパー２７は、ケーシング２８に対して回転される回転軸２９が粘性流体３０による制動力を受けることにより低速で回転されるようになっている。
【００３２】
ケーシング２８は一方に開口された略円筒状を為す本体筒３１と該本体筒３１の一端部に形成された開口を閉塞する閉塞蓋３２とから成る。本体筒３１の他端部には、その外面に外方へ突出された被保持突部３１ａが設けられ、内面に内方へ突出された支持軸部３１ｂが設けられている。閉塞蓋３２の中心部には挿通孔３２ａが形成されている。
【００３３】
回転軸２９は本体筒３１内に配置される軸本体部３３と該軸本体部３３の一端面から軸方向へ突出された突出部３４とから成り、軸本体部３３の他端面には軸受け凹部３３ａが形成されている。突出部３４は、その周面が、平行な平面を為す回転規制部３４ａ、３４ａと該回転規制部３４ａ、３４ａ間を結ぶ円弧部３４ｂ、３４ｂとによって構成されている。
【００３４】
回転軸２９は軸受け凹部３３ａに本体筒３１の支持軸部３１ｂが挿入され、ケーシング２８に対して軸回り方向へ回転可能とされている。突出部３４は、一部を除いて閉塞蓋３２の挿通孔３２ａから外方へ突出されている。
【００３５】
回転軸２９が本体筒３１に回転自在に支持された状態において、閉塞蓋３２と回転軸２９の軸本体部３３との間にオーリング３５が介在されている。
【００３６】
閉塞蓋３２の外面には、厚みの薄い回り止め部３６が取り付けられている。回り止め部３６は、その周面が平行な平面を為す規制面３６ａ、３６ａと該規制面３６ａ、３６ａ間を結ぶ円弧面３６ｂ、３６ｂとによって構成されている。回り止め部３６の中央部には回転軸２９の突出部３４が挿通される貫通孔３６ｃが形成されている。突出部３４は回り止め部３６に対して回転可能とされている。
【００３７】
突出部３４の先端寄りの位置には円板部材３７が固定されている。円板部材３７は回り止め部３６の外面上において、回転軸２９と一体となって回転される。
【００３８】
オイルダンパー２７は支持シャーシ２０に取り付けられて保持される（図４及び図５参照）。オイルダンパー２７の保持突部２５への取付は、本体筒３１の被保持突部３１ａを押さえ部２５ｂの保持孔２５ｃに挿入し、回り止め部３６を左側板部２３の係合孔２４に嵌合することにより行う。従って、係合孔２４は回り止め部が係合される係合部としての役割を果たす。この取付は、例えば、保持突部２５を左側板部２３に対して撓ませておき、先ず、回り止め部３６を係合孔２４に挿入し、次に、撓ませていた保持突部２５を元の状態に戻しながら被保持突部３１ａを保持孔２５ｃに挿入することにより行う。
【００３９】
このようにオイルダンパー２７の支持シャーシ２０への取付は、保持突部２５を撓ませておき、回り止め部３６と被保持突部３１ａとをそれぞれ係合孔２４と保持孔２５ｃとに挿入するだけでよいため、取付が簡単であり取付作業における作業性の向上を図ることができる。
【００４０】
オイルダンパー２７が支持シャーシ２０に取り付けられた状態においては、回り止め部３６の規制面３６ａ、３６ａが係合孔２４の規制縁２４ａ、２４ａにそれぞれ係合されるため、ケーシング２８は支持シャーシ２０に対して回転されない。従って、オイルダンパー２７を支持シャーシ２０に取り付けるだけでケーシング２８の支持シャーシ２０に対する回転が規制され、回転止め機構等の別の機構を必要とせず、その分、配置スペースの低減による小型化及び製造コストの低減を図ることができる。
【００４１】
オイルダンパー２７が支持シャーシ２０に取り付けられた状態においては、突出部３４が係合孔２４から左方へ突出されている（図５参照）。
【００４２】
オイルダンパー２７の突出部３４にはアーム板３８が連結されている（図４及び図５参照）。アーム板３８は略上下方向に長く形成され、下端部に嵌合穴３９が形成されている。嵌合穴３９は平行を為す直線状の回転規制縁３９ａ、３９ａと該回転規制縁３９ａ、３９ａ間を結ぶ円弧縁３９ｂ、３９ｂとによって形成されている（図４参照）。
【００４３】
アーム板３８の上端部には摺動突部３８ａが設けられている。アーム板３８の摺動突部３８ａの近傍の位置には、バネ支持突部３８ｂが設けられている。
【００４４】
アーム板３８は嵌合穴３９にオイルダンパー２７の突出部３４が嵌合されて連結される。アーム板３８が突出部３４に連結された状態においては、突出部３４の回転規制部３４ａ、３４ａが嵌合穴３９の回転規制縁３９ａ、３９ａにそれぞれ係合されるため、アーム板３８は突出部３４に対して回転されない。従って、アーム板３８を突出部３４に取り付けるだけでアーム板３８の突出部３４に対する回転が規制され、回転止め機構等の別の機構を必要とせず、その分、配置スペースの低減による小型化及び製造コストの低減を図ることができる。
【００４５】
アーム板３８は摺動突部３８ａが支持板２６のガイド孔２６ｄに摺動自在に係合される。
【００４６】
アーム板３８のバネ支持突部３８ｂと支持板２６のバネ掛け突部２６ｅとの間には、付勢手段４０が支持される。付勢手段４０としては、例えば、引張コイルバネが用いられるが、引張コイルバネに代えて捩じりコイルバネやゴム部材等の弾性を有する部材を用いてもよい。
【００４７】
アーム板３８は嵌合穴３９に連結されたオイルダンパー２７の突出部３４を支点として支持シャーシ２０に対して回動可能とされ、付勢手段４０によって上端部が略後方側へ回動される方向へ付勢される。従って、支持板２６は被支持軸部２６ｂを支点として、前端部が略上方へ回動される方向へ付勢され、蓋体４も付勢手段４０によって支持板２６と同じ方向へ付勢される。
【００４８】
上記した支持板２６とアーム板３８は、支持シャーシ２０に対して回動可能とされると共に蓋体４の開閉動作に伴って回動される回動体４１として機能する。
【００４９】
上記した支持シャーシ２０、支持板２６、オイルダンパー２７及びアーム板３８は、蓋体４を開閉させるための各部であり、支持シャーシ２０、支持板２６、オイルダンパー２７及びアーム板３８によって蓋体４を開閉するための開閉装置４２が構成される。
【００５０】
ケース体３のメカシャーシ１２の下側には、所定の各回路が設けられた回路基板４３が配置されている（図３参照）。回路基板４３の左端部には、例えば、左方へ開口された配置用切欠４３ａが形成され、該配置用切欠４３ａに支持シャーシ２０に取り付けられたオイルダンパー２７が配置されている。
【００５１】
このようにオイルダンパー２７は回路基板４３に形成された配置用切欠４３ａに配置されているため、ケース体３を大型にすることなくオイルダンパー２７の配置スペースを確保することができ、オイルダンパー２７を配置することによる携帯用記録及び／又は再生装置１の大型化を回避することができる。
【００５２】
ディスクカートリッジ１００は、矩形の扁平な箱状をした収納ケース１０１内にディスク状記録媒体（光磁気ディスク）１０２が回転可能に収納されて成る（図１参照）。収納ケース１０１の下面の中央部には図示しない挿入孔が形成され、該挿入孔の側方に図示しない透過孔が形成されている。収納ケース１０１の上面には、透過孔に対応した位置に上記磁気ヘッドが挿入されるヘッドアクセス孔１０１ａが形成されている。
【００５３】
収納ケース１０１には、透過孔及びヘッドアクセス孔１０１ａを開閉するシャッター１０３がスライド自在に支持されている。
【００５４】
以下に、開閉装置４２の動作について説明する（図８及び図９参照）。
【００５５】
図８に示す状態は蓋体４が閉塞されているときの開閉装置４２の状態であり、この状態でディスク状記録媒体１０２に対する情報信号の記録又は再生が為され、また、停止時もこの状態である。蓋体４はロック部材８が被ロック部材９に係止されることにより、閉塞位置においてロックされている。
【００５６】
蓋体４が閉塞されている状態においては、支持板２６が左側板部２３と略平行な状態とされており、アーム板３８の摺動突部３８ａが支持板２６のガイド孔２６ｄの前端部に係合されている（図８参照）。
【００５７】
蓋体４が閉塞された状態において、オープン摘子７をスライド操作すると、ロック部材８の被ロック部材９に対する係止状態が解除される。ロック部材８の被ロック部材９に対する係止状態が解除されると、付勢手段４０の付勢力によって、アーム板３８は摺動突部３８ａが略後方へ移動される方向へ回動される。支持板２６は蓋体４と一体にアーム板３８の回動動作に伴って回動され、蓋体４が開放されていく。
【００５８】
蓋体４が開放されていくときには、オイルダンパー２７の制動力によって蓋体４は低速で回動されていく。
【００５９】
蓋体４は図示しないストッパーによって開放位置に保持され、このときアーム板３８の摺動突部３８ａが支持板２６のガイド孔２６ｄの後端部に係合される（図９参照）。
【００６０】
蓋体４が開放された状態において、ディスクカートリッジ１００をホルダー１９内に挿入する。ディスクカートリッジ１００をホルダー１９内に挿入すると、外筐２内に設けられた図示しないシャッター開閉機構によってシャッター１０２がスライドされ、収納ケース１０１の透過孔及びヘッドアクセス孔１０１ａが開放される。
【００６１】
次に、蓋体４をケース体３側へ押圧すると、蓋体４が付勢手段４０の付勢力に抗して閉塞位置へ向けて回動され、収納ケース１０１の挿入孔からディスクテーブル１３が挿入されて該ディスクテーブル１３にディスク状記録媒体１０２が装着される。同時にロック部材８が被ロック部材９に係止され蓋体４が閉塞位置にロックされる。
【００６２】
ディスク状記録媒体１０２がディスクテーブル１３に装着された状態において、所定の操作釦１０を操作すると当該操作に応じた所定の動作が行われる。例えば、再生釦１０を操作すると、ディスクテーブル１３の回転に伴ってディスク状記録媒体１０２が回転され、光ピックアップ１４の駆動により透過孔を介してディスク状記録媒体１０２にレーザー光が照射されて情報信号の再生が行われる。一方、記録釦１０を操作すると、ディスクテーブル１３の回転に伴ってディスク状記録媒体１０２が回転され、光ピックアップ１４の駆動により透過孔を介してディスク状記録媒体１０２にレーザー光が照射されると共に磁気ヘッドからヘッドアクセス孔１０１ａを介してディスク状記録媒体１０２に磁界が印加されて情報信号の記録が行われる。
【００６３】
上記した情報信号の再生又は記録等の各動作が終了した状態において、オープン摘子７をスライド操作すると、上記と同様にして蓋体４が開放され、図示しないイジェクト機構によりディスクカートリッジ１００の一部がホルダー１９から前方へ突出され、シャッター開閉機構によってシャッター１０２がスライドされて収納ケース１０１の透過孔及びヘッドアクセス孔１０１ａが閉塞される。突出されたディスクカートリッジ１００を引き抜くことによりホルダー１９から取り出すことができる。
【００６４】
以上に記載した通り、開閉装置４２にあっては、オイルダンパー２７の回転軸２９の突出部３４をアーム板３８に連結している。
【００６５】
従って、互いに噛合するギヤを用いてオイルダンパーの制動力を蓋体に作用するようにした従来の記録及び／又は再生装置のように、ギヤ及び該ギヤの配置スペースを必要とせず、大型化を伴うことなく使い勝手の向上を図ることができると共に部品点数の削減による製造コストの低減を図ることができる。
【００６６】
また、オイルダンパー２７の回転軸２９をアーム板３８に連結しているため、ギヤを用いた場合のようにバックラッシを発生することがなく、蓋体４の回動動作の開始時点からオイルダンパー２７の制動力を作用させることができ、動作ロスをなくすことができる。
【００６７】
次に、第２の実施の形態について説明する（図１０乃至図１３参照）。
【００６８】
尚、以下に示す第２の実施の形態は、上記した第１の実施の形態と比較して、開閉装置の構成が異なることのみが相違するため、第１の実施の形態と比較して異なる部分についてのみ詳細に説明をし、その他の部分については第１の実施の形態における同様の部分に付した符号と同じ符号を付して説明は省略する。
【００６９】
支持シャーシ２０Ａは前方に開口された略コ字状に形成され、ケース体３の後面部６ｂに沿って配置された基部２１Ａと右側面部６ｄに沿って配置された図示しない右側板部と左側面部６ｃに沿って配置された左側板部２３Ａとを有している（図１０及び図１１参照）。
【００７０】
支持シャーシ２０Ａの左側板部２３Ａには、その後端寄りの位置に左方へ突出された案内突部２３ｃが設けられている。左側板部２３Ａの後端部には係合孔２４が形成されている。左側板部２３Ａの前端寄りの位置にはバネ支持軸部２５ｄが設けられ、該バネ支持軸部２５ｄの近傍にバネ掛け突部２５ｅが設けられている。
【００７１】
後面部２１Ａの左端寄りの位置には、前方へ突出された押さえ部２５ｆが一体に設けられ、該押さえ部２５ｆには保持孔２５ｇが形成されている。
【００７２】
左側板部２３Ａには支持板２６Ａが回動自在に支持されている。支持板２６Ａは略前後方向に長く形成され、前端部と後端寄りの位置とにそれぞれ取付螺孔２６ａ、２６ａが形成されている。支持板２６Ａの後端部には嵌合穴４４が形成されている。嵌合穴４４は平行を為す直線状の回転規制縁４４ａ、４４ａと該回転規制縁４４ａ、４４ａ間を結ぶ円弧縁４４ｂ、４４ｂとによって形成されている。
【００７３】
支持板２６Ａには、その後端寄りの位置に緩やかな円弧状を為す被案内孔２６ｃが形成されている。支持板２６Ａの上縁にはバネ掛け部２６ｆが設けられている。
【００７４】
支持シャーシ２０Ａにはオイルダンパー２７が取り付けられて保持される。オイルダンパー２７の取付は、本体筒３１の被保持突部３１ａを押さえ部２５ｆの保持孔２５ｇに挿入し、回り止め部３６を左側板部２３Ａの係合孔２４に嵌合することにより行う。この取付は、例えば、押さえ部２５ｆを後面部２１Ａに対して撓ませておき、先ず、回り止め部３６を係合孔２４に挿入し、次に、撓ませていた押さえ部２５ｆを元の状態に戻しながら被保持突部３１ａを保持孔２５ｇに挿入することにより行う。
【００７５】
このようにオイルダンパー２７の支持シャーシ２０Ａへの取付は、押さえ部２５ｆを撓ませておき、回り止め部３６と被保持突部３１ａとをそれぞれ係合孔２４と保持孔２５ｇとに挿入するだけでよいため、取付が簡単であり取付作業における作業性の向上を図ることができる。
【００７６】
オイルダンパー２７が支持シャーシ２０Ａに取り付けられた状態においては、回り止め部３６の規制面３６ａ、３６ａが係合孔２４の規制縁２４ａ、２４ａにそれぞれ係合されるため、ケーシング２８は支持シャーシ２０に対して回転されない。従って、オイルダンパー２７を支持シャーシ２０Ａに取り付けるだけでケーシング２８の支持シャーシ２０Ａに対する回転が規制され、回転止め機構等の別の機構を必要とせず、その分、配置スペースの低減による小型化及び製造コストの低減を図ることができる。
【００７７】
オイルダンパー２７が支持シャーシ２０Ａに取り付けられた状態においては、突出部３４が係合孔２４から左方へ突出されている（図１１参照）。
【００７８】
支持板２６Ａは、取付螺孔２６ａ、２６ａに図示しない取付ネジが螺合されることにより蓋体４に取り付けられている。従って、支持板２６Ａは、蓋体４の回動動作に伴って回動される。
【００７９】
支持板２６Ａは嵌合穴４４にオイルダンパー２７の突出部３４が嵌合されて連結される。支持板２６Ａが突出部３４に連結された状態においては、突出部３４の回転規制部３４ａ、３４ａが嵌合穴４４の回転規制縁４４ａ、４４ａにそれぞれ係合されるため、支持板２６Ａは突出部３４に対して回転されない。従って、支持板２６Ａを突出部３４に取り付けるだけで支持板２６Ａの突出部３４に対する回転が規制され、回転止め機構等の別の機構を必要とせず、その分、配置スペースの低減による小型化及び製造コストの低減を図ることができる。
【００８０】
支持板２６Ａは嵌合穴４４に連結されたオイルダンパー２７の突出部３４を支点として支持シャーシ２０Ａに対して回動可能とされる。支持板２６Ａが突出部３４に連結された状態において、被案内孔２６ｃに左側板部２３Ａの案内突部２３ｃが摺動自在に係合される。
【００８１】
左側板部２３Ａのバネ支持軸部２５ｄには、付勢手段４０Ａが支持されている（図１０及び図１１参照）。付勢手段４０Ａは、例えば、捩じりコイルバネであり、軸部４０ａと第１の脚部４０ｂと第２の脚部４０ｃとから成る。付勢手段４０Ａは、軸部４０ａがバネ支持軸部２５ｄに外嵌状に支持され、第１の脚部４０ｂが左側板部２３Ａのバネ掛け突部２５ｅに弾接され、第２の脚部４０ｃが支持板２６Ａのバネ掛け部２６ｆに弾接される。支持板２６Ａはオイルダンパー２７の突出部３４を支点として支持シャーシ２０Ａに対して回動可能とされ、付勢手段４０Ａによって前端部が略上方へ回動される方向へ付勢され、蓋体４も付勢手段４０Ａによって支持板２６Ａと同じ方向へ付勢される。
【００８２】
尚、付勢手段４０Ａとして、捩じりコイルバネに代えて、例えば、圧縮コイルバネやゴム部材等の弾性を有する部材を用いてもよい。
【００８３】
上記した支持板２６Ａは、支持シャーシ２０Ａに対して回動可能とされると共に蓋体４の開閉動作に伴って回動される回動体４１Ａとして機能する。
【００８４】
上記した支持シャーシ２０Ａ、支持板２６Ａ及びオイルダンパー２７は、蓋体４を開閉させるための各部であり、支持シャーシ２０Ａ、支持板２６Ａ及びオイルダンパー２７によって蓋体４を開閉するための開閉装置４２Ａが構成される。
【００８５】
以下に、開閉装置４２Ａの動作について説明する（図１２及び図１３参照）。
【００８６】
図１２に示す状態は蓋体４が閉塞されているときの開閉装置４２Ａの状態であり、この状態でディスク状記録媒体１０２に対する情報信号の記録又は再生が為され、また、停止時もこの状態である。蓋体４はロック部材８が被ロック部材９に係止されることにより、閉塞位置においてロックされている。
【００８７】
蓋体４が閉塞されている状態においては、支持板２６Ａが左側板部２３Ａと略平行な状態とされており、左側板部２３Ａの案内突部２３ｃが支持板２６Ａの被案内孔２６ｃの上端部に係合されている（図１２参照）。
【００８８】
蓋体４が閉塞された状態において、オープン摘子７をスライド操作すると、ロック部材８の被ロック部材９に対する係止状態が解除される。ロック部材８の被ロック部材９に対する係止状態が解除されると、付勢手段４０Ａの付勢力によって、支持板２６Ａは前端部が略上方へ移動される方向へ回動され、蓋体４が開放されていく。
【００８９】
蓋体４が開放されていくときには、オイルダンパー２７の制動力によって蓋体４は低速で回動されていく。
【００９０】
蓋体４は図示しないストッパーによって開放位置に保持され、このとき左側板部２３Ａの案内突部２３ｃが支持板２６Ａの被案内孔２６ｃの下端部に係合される（図１３参照）。
【００９１】
蓋体４が開放された状態において、ディスクカートリッジ１００をホルダー１９内に挿入し、第１の実施の形態と同様にして、ディスク状記録媒体１０２に対する情報信号の記録や再生等の所定の動作が行われる。
【００９２】
上記した情報信号の再生又は記録等の各動作が終了した状態において、オープン摘子７をスライド操作すると、上記と同様にして蓋体４が開放され、図示しないイジェクト機構によりディスクカートリッジ１００の一部がホルダー１９から前方へ突出される。突出されたディスクカートリッジ１００を引き抜くことによりホルダー１９から取り出すことができる。
【００９３】
以上に記載した通り、開閉装置４２Ａにあっては、オイルダンパー２７の回転軸２９の突出部３４を支持板２６Ａに連結している。
【００９４】
従って、互いに噛合するギヤを用いてオイルダンパーの制動力を蓋体に作用するようにした従来の記録及び／又は再生装置のように、ギヤ及び該ギヤの配置スペースを必要とせず、大型化を伴うことなく使い勝手の向上を図ることができると共に部品点数の削減による製造コストの低減を図ることができる。
【００９５】
また、開閉装置４２Ａが、支持シャーシ２０Ａ、支持板２６Ａ及びオイルダンパー２７という少ない部品点数で構成されるため、部品点数の低減による製造コストの低減及び機構の簡素化を図ることができる。
【００９６】
さらに、オイルダンパー２７の回転軸２９を支持板２６Ａに連結しているため、ギヤを用いた場合のようにバックラッシを発生することがなく、蓋体４の回動動作の開始時点からオイルダンパー２７の制動力を作用させることができ、動作ロスをなくすことができる。
【００９７】
次に、オイルダンパー２７の変形例について説明する（図１４参照）。
【００９８】
尚、以下に示す変形例に係るオイルダンパー２７Ａは、上記したオイルダンパー２７と比較して、ケーシング２８の内部に付勢手段が配置されていることのみが相違するため、オイルダンパー２７と比較して異なる部分についてのみ詳細に説明をし、その他の部分についてはオイルダンパー２７における同様の部分に付した符号と同じ符号を付して説明は省略する。
【００９９】
オイルダンパー２７Ａのケーシング２８の内部には付勢手段４０Ｂが配置されている。付勢手段４０Ｂとしては、例えば、渦巻きバネが用いられている。付勢手段４０Ｂは、回転軸２９の軸本体部３３を取り巻くように配置されており、一端部４０ｃがケーシング２８の内面に固定され、他端部４０ｄが回転軸２９の外面に固定されている。
【０１００】
オイルダンパー２７Ａにおいて、巻径が小さくなる方向へ回転軸２９が回転されると、付勢手段４０Ｂによって回転軸２９に対して回転された方向と反対方向への付勢力が付与される。
【０１０１】
オイルダンパー２７Ａを、オイルダンパー２７に代えて開閉装置４２及び開閉装置４２Ａに用いることができる。
【０１０２】
オイルダンパー２７に代えてオイルダンパー２７Ａを開閉装置４２又は開閉装置４２Ａに用いることにより、蓋体４は付勢手段４０Ｂによって回転軸２９を介して開放方向へ付勢される。従って、開閉装置４２、４２Ａにオイルダンパー２７Ａを用いれば、付勢手段４０、４０Ａを省略することができ、その分の配置スペースの省略による携帯用記録及び／又は再生装置１の小型化を図ることができる。
【０１０３】
尚、上記した各実施の形態において示した各部の形状及び構造は、何れも本発明の実施に際しての具体化のほんの一例を示したものに過ぎず、これらによって、本発明の技術的範囲が限定的に解釈されることがあってはならないものである。
【０１０４】
【発明の効果】
以上に記載したところから明らかなように、本発明開閉装置は、一方に開口された箱状に形成されベース部と該ベース部の周縁から突出された周面部とを有し該周面部に沿って支持シャーシが配置されたケース体に対して所定の方向へ移動されてケース体を開閉する蓋体の開閉装置であって、支持シャーシに対して回動可能とされると共に蓋体の開閉動作に伴って回動される回動体と、蓋体が開放する方向へ回動体を付勢する付勢手段と、粘性流体が封入されたケーシングと一部がケーシングから外部へ突出されケーシングに対して回転される回転軸とを有すると共に回動体の回動速度を制御するオイルダンパーとを備え、オイルダンパーはケーシングの一部が支持シャーシに係合されて該支持シャーシに保持されると共に回転軸のケーシングから突出された部分である突出部が回動体に連結されたことを特徴とする。
【０１０５】
従って、互いに噛合するギヤを用いてオイルダンパーの制動力を蓋体に作用するようにした従来の装置のように、ギヤ及び該ギヤの配置スペースを必要とせず、大型化を伴うことなく使い勝手の向上を図ることができると共に部品点数の削減による製造コストの低減を図ることができる。
【０１０６】
また、オイルダンパーの回転軸を回動体に連結しているため、ギヤを用いた場合のようにバックラッシを発生することがなく、蓋体の回動動作の開始時点からオイルダンパーの制動力を作用させることができ、動作ロスをなくすことができる。
【０１０７】
請求項２に記載した発明にあっては、上記回動体を、蓋体に取り付けられると共に一端部が支持シャーシに回動自在に支持された支持板と、一端部がオイルダンパーの突出部に連結されると共に他端部が支持板に支持されてオイルダンパーの回転軸と一体となって回動されるアーム板とによって構成したので、回動体の部品点数が少なく、機構の簡素化を図ることができる。
【０１０８】
請求項３に記載した発明にあっては、オイルダンパーの回転軸の突出部に回転軸の回転方向における回動体に対する回転を規制する回転規制部を設け、回動体に回転軸の突出部が嵌合される嵌合穴を形成したので、回動体を突出部に取り付けるだけで回動体の突出部に対する回転が規制され、回転止め機構等の別の機構を必要とせず、その分、配置スペースの低減による小型化及び製造コストの低減を図ることができる。
【０１０９】
請求項４に記載した発明にあっては、オイルダンパーのケーシングの一端部に回転軸の回転方向における支持シャーシに対する回転を規制する回り止め部を設け、支持シャーシにケーシングの回り止め部が係合される係合部とケーシングの他端部を押さえる押さえ部とを設けたので、オイルダンパーを支持シャーシに取り付けるだけでケーシングの支持シャーシに対する回転が規制され、回転止め機構等の別の機構を必要とせず、その分、配置スペースの低減による小型化及び製造コストの低減を図ることができる。
【０１１０】
請求項５に記載した発明にあっては、上記付勢手段をオイルダンパーのケーシングの内部に配置し、付勢手段によって回転軸を回転方向における一方向へ付勢し、回転軸を介して回動体を付勢したので、オイルダンパーの外側に付勢手段を設ける必要がなく、その分の配置スペースの省略による開閉装置の小型化を図ることができる。
【０１１１】
本発明携帯用記録及び／又は再生装置は、一方に開口された箱状に形成されベース部と該ベース部の周縁から突出された周面部とを有するケース体と、該ケース体に対して所定の方向へ移動されてケース体を開閉する蓋体と、ケース体内に配置され記録媒体が装着される装着部と、該装着部に装着された記録媒体に対して情報信号の記録及び／又は再生を行う記録再生部を支持すると共にケース体のベース部に対向して配置されたメカシャーシと、ケース体の周面部の内面に沿って配置された支持シャーシと、蓋体を開閉するための開閉装置とを備えた携帯用記録及び／又は再生装置であって、支持シャーシに対して回動可能とされると共に蓋体の開閉動作に伴って回動される回動体と、蓋体が開放する方向へ回動体を付勢する付勢手段と、粘性流体が封入されたケーシングと一部がケーシングから外部へ突出されケーシングに対して回転される回転軸とを有すると共に回動体の回動速度を制御するオイルダンパーとを備え、オイルダンパーはケーシングの一部が支持シャーシに係合されて該支持シャーシに保持されると共に回転軸のケーシングから突出された部分である突出部が回動体に連結されたことを特徴とする。
【０１１２】
従って、互いに噛合するギヤを用いてオイルダンパーの制動力を蓋体に作用するようにした従来の装置のように、ギヤ及び該ギヤの配置スペースを必要とせず、大型化を伴うことなく使い勝手の向上を図ることができると共に部品点数の削減による製造コストの低減を図ることができる。
【０１１３】
また、オイルダンパーの回転軸を回動体に連結しているため、ギヤを用いた場合のようにバックラッシを発生することがなく、蓋体の回動動作の開始時点からオイルダンパーの制動力を作用させることができ、動作ロスをなくすことができる。
【０１１４】
請求項７に記載した発明にあっては、上記回動体を、蓋体に取り付けられると共に一端部が支持シャーシに回動自在に支持された支持板と、一端部がオイルダンパーの突出部に連結されると共に他端部が支持板に支持されてオイルダンパーの回転軸と一体となって回動されるアーム板とによって構成したので、回動体の部品点数が少なく、機構の簡素化を図ることができる。
【０１１５】
請求項８に記載した発明にあっては、オイルダンパーの回転軸の突出部に回転軸の回転方向における回動体に対する回転を規制する回転規制部を設け、回動体に回転軸の突出部が嵌合される嵌合穴を形成したので、回動体を突出部に取り付けるだけで回動体の突出部に対する回転が規制され、回転止め機構等の別の機構を必要とせず、その分、配置スペースの低減による小型化及び製造コストの低減を図ることができる。
【０１１６】
請求項９に記載した発明にあっては、オイルダンパーのケーシングの一端部に回転軸の回転方向における支持シャーシに対する回転を規制する回り止め部を設け、支持シャーシにケーシングの回り止め部が係合される係合部とケーシングの他端部を押さえる押さえ部とを設けたので、オイルダンパーを支持シャーシに取り付けるだけでケーシングの支持シャーシに対する回転が規制され、回転止め機構等の別の機構を必要とせず、その分、配置スペースの低減による小型化及び製造コストの低減を図ることができる。
【０１１７】
請求項１０に記載した発明にあっては、上記付勢手段をオイルダンパーのケーシングの内部に配置し、付勢手段によって回転軸を回転方向における一方向へ付勢し、回転軸を介して回動体を付勢したので、オイルダンパーの外側に付勢手段を設ける必要がなく、その分の配置スペースの省略による携帯用記録及び／又は再生装置開閉装置の小型化を図ることができる。
【０１１８】
請求項１１に記載した発明にあっては、ケース体内のベース部とメカシャーシとの間に回路基板を配置し、該回路基板にオイルダンパーを配置する配置用切欠を形成したので、ケース体を大型にすることなくオイルダンパーの配置スペースを確保することができ、オイルダンパーを配置することによる携帯用記録及び／又は再生装置の大型化を回避することができる。
【図面の簡単な説明】
【図１】図２乃至図９と共に本発明の第１の実施の形態を示すものであり、本図は携帯用記録及び／又は再生装置をディスクカートリッジとともに示す斜視図である。
【図２】蓋体を省略して示す携帯用記録及び／又は再生装置の斜視図である。
【図３】蓋体等を省略し一部を切り欠いて示す携帯用記録及び／又は再生装置の平面図である。
【図４】開閉装置の拡大分解斜視図である。
【図５】開閉装置の拡大斜視図である。
【図６】オイルダンパーの拡大縦断面図である。
【図７】オイルダンパーの拡大側面図である。
【図８】図９と共に開閉装置の動作を示すものであり、本図は蓋体が閉塞されているときの状態を示す拡大側面図である。
【図９】蓋体が開放されているときの状態を示す拡大側面図である。
【図１０】図１１乃至図１３と共に第２の実施の形態を示すものであり、本図は開閉装置の拡大分解斜視図である。
【図１１】開閉装置の拡大斜視図である。
【図１２】図１３と共に開閉装置の動作を示すものであり、本図は蓋体が閉塞されているときの状態を示す拡大側面図である。
【図１３】蓋体が開放されているときの状態を示す拡大側面図である。
【図１４】オイルダンパーの変形例を示す拡大横断面図である。
【符号の説明】
１…携帯用記録及び／又は再生装置、３…ケース体、４…蓋体、５…ベース部、６…周面部、１２…メカシャーシ、１３…ディスクテーブル（装着部）、１４…光ピックアップ（記録再生部）、２０…支持シャーシ、２４…係合孔（係合部）、２５ｂ…押さえ部、２６…支持板、２７…オイルダンパー、２８…ケーシング、２９…回転軸、３０…粘性流体、３４…突出部、３４ａ…回転規制部、３６…回り止め部、３８…アーム板、３９…嵌合穴、４０…付勢手段、４１…回動体、４２…開閉装置、４３…回路基板、４３ａ…配置用切欠、１０２…ディスク状記録媒体（記録媒体）、２０Ａ…支持シャーシ、２５ｆ…押さえ部、２６Ａ…支持板、４０Ａ…付勢手段、４１Ａ…回動体、４２Ａ…開閉装置、４４…嵌合穴、２７Ａ…オイルダンパー、４０Ｂ…付勢手段
【図１】
2004079939.tif 000003
【図２】
2004079939.tif 000004
【図３】
2004079939.tif 000005
【図４】
2004079939.tif 000006
【図５】
2004079939.tif 000007
【図６】
2004079939.tif 000008
【図７】
2004079939.tif 000009
【図８】
2004079939.tif 000010
【図９】
2004079939.tif 000011
【図１０】
2004079939.tif 000012
【図１１】
2004079939.tif 000013
【図１２】
2004079939.tif 000014
【図１３】
2004079939.tif 000015
【図１４】
2004079939.tif 000016